(57)【要約】【課題】発光体から発した光線の多くをリフレクタに導き、リフレクタの広い範囲を利用して光線を拡散放射させることができ、リフレクタの奥行きを小さくできる遊技機における表示装置を提供すること。【解決手段】遊技機における表示装置１は、発光体２と、発光体２から発した光線Ｒを拡散放射するリフレクタ３とを有している。発光体２の発光方向Ｌには、発光体２から発した光線Ｒをリフレクタ３に向けて反射させる反射体４が配設してある。【選択図】図１
2006141808.tif 000002
【特許請求の範囲】
【請求項１】
発光体と、該発光体から発した光線を拡散放射するリフレクタとを有する遊技機における表示装置において、
上記発光体の発光方向には、該発光体から発した光線を上記リフレクタに向けて反射させる反射体が配設してあることを特徴とする遊技機における表示装置。
【請求項２】
請求項１において、上記発光体と上記反射体との間には、導光体が配設してあり、該導光体は、上記発光体から入射した光線を上記リフレクタに向けて出射させると共に、上記反射体にも導くよう構成してあることを特徴とする遊技機における表示装置。
【請求項３】
請求項１又は２において、上記発光体は、ＬＥＤであることを特徴とする遊技機における表示装置。
【発明の詳細な説明】
【技術分野】
【０００１】
本発明は、パチンコ遊技機、アレンジボール遊技機、又は遊技球やメダル等を遊技媒体として使用するスロット遊技機等において、発光体から発した光線により表示を行う表示装置に関する。
【背景技術】
【０００２】
パチンコ遊技機等の遊技機においては、遊技を演出するために種々の表示装置を用いている。この表示装置は、発光体と、発光体から発した光線を拡散放射するリフレクタとを有しており、例えば、リフレクタのほぼ全面に光線を拡散して放射させることにより、インパクトのある演出を行っている。
また、例えば、特許文献１における遊技機の表示装置においては、リフレクタを階段状に形成している。そして、発光体から発した光線を階段状のリフレクタによって拡散させることにより、見かけ上、種々の位置においた複数の光源によって照射されているような印象を遊技者に与えることができ、立体的な表示を可能にしている。また、特許文献１においては、リフレクタの前面にレンズカバーを取り付け、リフレクタから拡散放射された光線をさらに拡散して放射している。
【０００３】
しかしながら、リフレクタの奥行きを小さくし、発光体から発した光線の多くをリフレクタによって拡散放射するためには、上記従来の表示装置の構造によっては十分ではない。
すなわち、上記従来の表示装置においては、発光体から発した光線を、直接リフレクタに照射させることによって拡散放射している。そのため、発光体から発した光線を直接照射するためにリフレクタの奥行きを大きくする必要がある。また、発光体から発した光線の多くをリフレクタへ導くことが困難である。
【０００４】
【特許文献１】特開平１１−１５６００１号公報
【発明の開示】
【発明が解決しようとする課題】
【０００５】
本発明は、かかる従来の問題点に鑑みてなされたもので、発光体から発した光線の多くをリフレクタに導き、リフレクタの広い範囲を利用して光線を拡散放射させることができ、リフレクタの奥行きを小さくすることができる遊技機における表示装置を提供しようとするものである。
【課題を解決するための手段】
【０００６】
本発明は、発光体と、該発光体から発した光線を拡散放射するリフレクタとを有する遊技機における表示装置において、
上記発光体の発光方向には、該発光体から発した光線を上記リフレクタに向けて反射させる反射体が配設してあることを特徴とする遊技機における表示装置にある（請求項１）。
【０００７】
本発明の表示装置は、発光体から発した光線をリフレクタに向けて反射させる反射体を有している。
すなわち、発光体から発した光線の多くは、反射体によって反射されてリフレクタに導かれ、このリフレクタによって拡散放射される。そのため、発光体から発した光線の多くをリフレクタへ導くことができ、リフレクタの広い範囲を利用して光線を拡散放射させることができる。
【０００８】
また、上記反射体を利用することにより、遊技者に向けて直接放射される光線の部分も、リフレクタへ導くことができる。そのため、発光体から発した光線の多くをリフレクタへ照射させるようリフレクタの奥行き（発光方向における厚み寸法）を大きくする必要がなくなる。これにより、リフレクタの奥行きを小さくすることができ、表示装置の構造をコンパクトにすることができる。
【０００９】
それ故、本発明の表示装置によれば、発光体から発した光線の多くをリフレクタに導き、リフレクタの広い範囲を利用して光線を拡散放射させることができ、リフレクタの奥行きを小さくすることができる。
【発明を実施するための最良の形態】
【００１０】
上述した本発明における好ましい実施の形態につき説明する。
本発明において、上記反射体は、上記発光体の指向領域（光線が広がる領域）よりも発光方向における外形が大きな反射面を有していることが好ましい。この場合には、上記発光体から発した光線のほぼすべてを反射体によって反射させて、リフレクタへ導くことができる。
また、上記反射体の反射面の発光方向における外形は、上記発光体の指向領域における外縁とほぼ同じ大きさにすることができる。この場合には、リフレクタに対する反射体の相対的な外形が大きくなってしまうことを防止することができ、リフレクタが反射体によって隠れてしまう面積を小さくすることができる。
【００１１】
なお、上記反射体の反射面は、上記発光体の指向領域（光線が広がる領域）よりも発光方向における外形を小さくすることもできる。この場合には、上記発光体から発した光線の多くは反射体へ照射させる一方、光線の残部は、直接遊技者に向けて放射させることができる。
また、上記発光体に指向領域が広いものを用いた場合には、発光体から発した光線は、反射体に照射させると共に、リフレクタにも照射させることができる。
【００１２】
また、上記発光体と上記反射体との間には、導光体が配設してあり、該導光体は、上記発光体から入射した光線を上記リフレクタに向けて出射させると共に、上記反射体にも導くよう構成することが好ましい（請求項２）。
この場合には、発光体から発した光線の一部は、導光体によって屈折させて、この導光体からリフレクタへ導くことができ、発光体から発した光線を、リフレクタのより広い範囲において拡散放射させることができる。
また、上記導光体の形状は、例えば、円柱形状とすることができ、その軸方向を発光体の発光方向に向けて、発光体と反射体との間に配設することができる。
【００１３】
また、上記発光体は、ＬＥＤであることが好ましい（請求項３）。
この場合には、発光体の小型化が容易である。また、例えば、発光体に、指向領域（光線が広がる領域）が狭いＬＥＤを用いる場合でも、このＬＥＤから発した光線を上記反射体によってリフレクタに効果的に導くことができる。
また、発光体は、フィラメント素子等を用いたランプとすることもできる。
【実施例】
【００１４】
以下に、本発明の遊技機の表示装置にかかる実施例につき、図面と共に説明する。
（実施例１）
本例の遊技機における表示装置１は、図１に示すごとく、発光体２と、この発光体２から発した光線Ｒを拡散放射するリフレクタ３とを有している。そして、発光体２の発光方向Ｌには、この発光体２から発した光線Ｒをリフレクタ３に向けて反射させる反射体４が配設してある。
以下に、これを詳説する。
【００１５】
図１に示すごとく、本例の発光体２は、基板２１の表面にＬＥＤ素子２２を配設してなり、リフレクタ３の後方側に配設されている。また、リフレクタ３には、発光体２から発した光線Ｒを遊技機の前方側に通過させる通過穴３１１が形成されており、基板２１におけるＬＥＤ素子２２は、通過穴３１１の後方側に配置されている。そして、ＬＥＤ素子２２から発した光線Ｒは、通過穴３１１に干渉することなく、反射体４へ導かれるようになっている。
【００１６】
なお、発光体２は、リフレクタ３と反射体５との間の適宜箇所に配設することもできる。この場合には、発光体２の周囲に保護カバーを設けることができ、この保護カバーには、光線Ｒの拡散機能を持たせることができる。
また、発光体２の基板２１の裏面には、放熱用金属膜２１１が形成されている。この放熱用金属膜２１１により、ＬＥＤ素子２２に接続された抵抗等の電気的素子が発熱し、基板２１に熱が溜まることを防止することができる。また、放熱用金属膜２１１は、基板２１の裏面に金属シートを貼り付けたり、プリント基板のアートワーク用金属膜を利用して形成することができる。
【００１７】
また、本例のリフレクタ３は、合成樹脂性のリフレクタ本体３１の拡散放射面３２に、金属膜（金属材料）からなる反射層３２１を形成してなる。そして、反射体４から反射された光線Ｒは、反射層３２１を形成した拡散放射面３２に照射され放射されるようになっている。また、拡散放射面３２は、反射体４から反射された光線Ｒが効果的に照射されるように、凹状の曲面に形成されている。
なお、上記金属膜は、メッキ処理又は蒸着処理を行って形成することができ、また、金属シートを貼り付けて形成することもできる。
【００１８】
また、本例の反射体４は、合成樹脂性の反射体本体４１の反射面４２に、金属膜からなる反射層４２１を形成してなる。そして、発光体２から発した光線Ｒは、反射層４２１を形成した反射面４２に照射され反射されるようになっている。また、反射面４２は、発光体２から発した光線Ｒを効果的にリフレクタ３へ導くために、凸状の曲面に形成されている。
【００１９】
また、本例の反射体４の反射面４２の発光方向Ｌにおける外形Ｂは、発光体２の指向領域（光線Ｒが広がる領域）Ａにおける外縁とほぼ同じ大きさになっている。そして、本例の表示装置１は、発光体２から発した光線Ｒのほぼすべてを反射体４によって反射させてリフレクタ３へ導き、リフレクタ３から拡散放射させることができる構造を有している。
また、リフレクタ３は、遊技機の前方側（遊技者に対向する側）に向けて上記拡散放射面３２を形成してなり、反射体４は、遊技機の後方側に向けて上記反射面４２を形成してなる。
【００２０】
なお、本例のリフレクタ３は、発光体２の発光方向Ｌに対する左右両側に配設し、反射体４は、発光体２から発した光線Ｒを左右両側に反射するよう構成した。これに対し、リフレクタ３は、発光体２の発光方向Ｌに対する片側にのみ形成し、反対側には、光線Ｒを反射させる反射壁面を形成することもできる。また、この場合には、反射体４は、発光体２から発した光線Ｒを片側にのみ反射するよう構成することができる。
また、図１は、表示装置１を模式的に示す図であり、詳細は省略するが、発光体２は、遊技機に固定されており、反射体４はリフレクタ３に固定されている。
【００２１】
本例においては、発光体２から発した光線Ｒのほぼすべては、反射体４の反射面４２によって反射されてリフレクタ３の拡散放射面３２に導かれ、この拡散放射面３２によって拡散放射される。
そのため、発光体２から発した光線Ｒのほぼすべてをリフレクタ３の拡散放射面３２へ導くことができ、拡散放射面３２の広い範囲を利用して光線Ｒを拡散放射させることができる。
【００２２】
また、発光体２から直接拡散放射面３２へ光線Ｒを照射させる必要がないので、リフレクタ３の拡散放射面３２は、反射体４から反射された光線Ｒが照射されるように構成すればよい。これにより、拡散放射面３２の傾斜角度をできるだけ小さくすることができる（傾斜角度を光線Ｒの発光方向Ｌに直交する方向に近づけることができる）。そのため、リフレクタ３の奥行き（発光方向Ｌにおける厚み寸法）Ｄを小さくすることができ、表示装置１の構造をコンパクトにすることができる。
【００２３】
それ故、本例の表示装置１によれば、発光体２から発した光線Ｒのほとんどをリフレクタ３に導き、リフレクタ３の広い範囲を利用して光線Ｒを拡散放射させることができ、リフレクタ３の奥行きＤを小さくすることができる。
【００２４】
（実施例２）
本例の表示装置１は、図２に示すごとく、上記発光体２と反射体４との間に導光体５を配設してなる。この導光体５は、発光体２から入射した光線Ｒを、リフレクタ３の拡散放射面３２に向けて出射させると共に反射体４にも導くよう構成されている。また、本例の導光体５は、円柱形状を有しており、その軸方向Ｘを発光体２の発光方向Ｌに向けて、発光体２と反射体４との間に配設されている。なお、導光体５は、多角形状の棒体等によって構成することもできる。
また、導光体５は、アクリル樹脂等の透明な合成樹脂により構成されている。
【００２５】
本例においては、発光体２から発した光線Ｒの一部を、導光体５によって屈折させ、この導光体５の外周側面からリフレクタ３の拡散放射面３２へ導くことができる。そのため、発光体２から発した光線Ｒを、拡散放射面３２のより広い範囲において拡散放射させることができる。
【００２６】
また、導光体５を配設したことにより、遊技機の遊技を行う遊技者から、発光体２から発した光線Ｒを直接見えなくすることができる。そのため、遊技を行う際に、遊技者にまぶしさを感じさせないようにすることができる。
本例においても、その他は上記実施例１と同様であり、上記実施例１と同様の作用効果を得ることができる。
【００２７】
（実施例３）
本例は、上記実施例１、２に示した表示装置１の構成の一部を変更したものを示す例である。
すなわち、図３に示すごとく、上記円柱形状を有する導光体５は、その外周側面に、複数のプリズム（拡散カット）５１を形成してなることができる。この各プリズム５１は、導光体５の外周側面において、軸方向Ｘに直交する方向にＶ状溝５１１を形成してなるものである。この場合には、複数のプリズム５１によって、発光体２から導光体５内に入射された光線Ｒを積極的に屈折させ、リフレクタ３の拡散放射面３２に向けて拡散させて出射させることができる。
【００２８】
また、図４に示すごとく、リフレクタ３における拡散放射面３２を、発光体２の発光方向Ｌに直交する方向の一方側にのみ形成した場合には、上記導光体５の外周側面における上記一方側とは反対側の部分には、金属膜からなる反射層５３を形成することができる。
【００２９】
また、図５に示すごとく、上記導光体５は、上記反射体４に向けて複数に分岐した形状に形成することもできる。すなわち、導光体５は、発光方向Ｌに向けて形成したセンター部５２１と、このセンター部５２１の周りに、センター部５２１から分岐させて傾斜形成した複数の分岐傾斜部５２２とによって構成することができる。
【００３０】
また、図６に示すごとく、上記反射体４は、モータ等の回転手段４５によって回転させるよう構成することもできる。この場合には、反射体４によって反射させる光線Ｒをリフレクタ３の拡散放射面３２に向けて効果的に導くことができる。また、導光体５を回転させるように構成することもできる。
また、同図に示すごとく、反射体４の反射面４２には、凸状曲面からなる反射セル（ファセット）４２２を多数形成することができる。
【００３１】
（実施例４）
本例は、図７〜図１２に示すごとく、上記表示装置１をパチンコ遊技機６におけるガラス扉６１の前面に配設した状態をより具体的に示す例である。
すなわち、図７に示すごとく、本例の表示装置１は、ガラス扉６１の前面において左右対称の位置に配設され、ガラス扉６１の前面における左右に２つずつ配設されている。ここで、ガラス扉６１とは、パチンコ遊技を行う遊技盤を配設してなる本体枠の前面に、開閉可能に配設してなるものをいう。
【００３２】
また、図８〜図１２に示すごとく、本例においても、発光体２と反射体４との間には、上記導光体５が配設されている。また、本例の表示装置１は、リフレクタ３に対して、発光体２、反射体４及び導光体５を２セット配設してなる。また、リフレクタ３における拡散放射面３２は、各反射体４の反射面４２に対向するよう複数形成されている。
また、本例の各拡散放射面３２は、傾斜角度が異なる状態で結合されている。すなわち、各拡散放射面３２は、傾斜角度が互いに異なる凹状の曲面に形成されており、拡散放射面３２同士の接合部分には、突起状の境界部３２０が形成されている。
なお、表示装置１は、リフレクタ３に対して、発光体２、反射体４及び導光体５を３セット以上配設してなることもできる。
【００３３】
また、図８、図９に示すごとく、各拡散放射面３２は、発光体２の発光方向Ｌに対して直交する方向の一方側に向けて形成されている。また、拡散放射面３２を形成した一方側とは反対側には、導光体５と平行に（発光方向Ｌに平行に）リフレクタ壁面３３が形成されている。このリフレクタ壁面３３には、金属膜からなる反射層３３１が形成されている。そして、導光体５内を通過する光線Ｒの一部は、反射層３３１を形成したリフレクタ壁面３３によって反射されて拡散放射面３２に出射され、当該光線Ｒの残部は、反射体４に導かれるようになっている。
【００３４】
また、図７、図８、図１２に示すごとく、本例の拡散放射面３２は、うろこ状曲面からなる反射セル（ファセット）３２２を多数形成してなり、反射セル３２２の１つ１つが光ることで拡散放射面３２による拡散効果が一層効果的に得られるように構成されている。なお、多数の反射セル３２２は、上記実施例１、２におけるリフレクタ３の拡散放射面３２にも同様に形成することができる。
また、図９、図１２に示すごとく、本例の反射体４の反射面４２は、上記発光方向Ｌに直交する方向の一方側に向けて形成した拡散放射面３２に対向するよう傾斜形成されている。
【００３５】
また、図１３に示すごとく、上記表示装置１の前面には、保護カバー１１を設けることができる。そして、この保護カバー１１は、着色又は無色の透明樹脂材料から構成することができ、光線Ｒの拡散機能を持たせることもできる。また、この拡散機能は、保護カバー１１に拡散カットを施したり、保護カバー１１を拡散剤入り樹脂材料から成形することによって形成することができる。
また、表示装置１は、上記ガラス扉６１の前面以外にも、遊技者から視認できる適宜箇所に配設することができ、例えば、パチンコ遊技機６の球皿部６２に配設することもできる。また、表示装置１は、パチンコ遊技機６以外にも、例えば、スロット遊技機に使用することもできる。
【００３６】
本例の表示装置１は、リフレクタ３に対して、発光体２、反射体４及び導光体５を２セット配設したことにより、よりダイナミックな発光表示の演出を行うことができる。
すなわち、例えば、発光体２の発光色を異ならせた場合（発光体２にＬＥＤを用いる場合にはＬＥＤ素子２２の発光色を異ならせた場合）には、各拡散放射面３２から異なる色の光線Ｒを拡散放射させることができる。また、各拡散放射面３２が傾斜角度が異なった状態で境界部３２０において接合されていることにより、拡散放射面３２同士が一体的に形成されていながらも、異なる色が互いに混合して拡散放射されないようにすることができる。
本例においても、その他は上記実施例１〜３と同様であり、上記実施例１〜３と同様の作用効果を得ることができる。
【図面の簡単な説明】
【００３７】
【図１】実施例１における、表示装置を示す断面説明図。
【図２】実施例２における、表示装置を示す断面説明図。
【図３】実施例３における、導光体にプリズムを形成してなる表示装置を示す断面説明図。
【図４】実施例３における、リフレクタの拡散放射面を一方側にのみ形成してなる表示装置を示す断面説明図。
【図５】実施例３における、導光体を複数に分岐形成してなる表示装置を示す断面説明図。
【図６】実施例３における、反射体を回転させるよう構成した表示装置を示す断面説明図。
【図７】実施例４における、表示装置を配設したガラス扉を示す平面図。
【図８】実施例４における、表示装置を示す平面図。
【図９】実施例４における、図８のＡ−Ａ線矢視断面図。
【図１０】実施例４における、図８のＢ−Ｂ線矢視断面図。
【図１１】実施例４における、図８のＣ−Ｃ線矢視断面図。
【図１２】実施例４における、図８のＤ−Ｄ線矢視断面図。
【図１３】実施例４における、保護カバーを配設した表示装置を示す図で、図８のＡ−Ａ線矢視相当の断面図。
【符号の説明】
【００３８】
１  表示装置
２  発光体
３  リフレクタ
３２  拡散放射面
４  反射体
４２  反射面
５  導光体
Ｌ  発光方向
Ｒ  光線
Ｄ  奥行き
【図１】
2006141808.tif 000003
【図２】
2006141808.tif 000004
【図３】
2006141808.tif 000005
【図４】
2006141808.tif 000006
【図５】
2006141808.tif 000007
【図６】
2006141808.tif 000008
【図７】
2006141808.tif 000009
【図８】
2006141808.tif 000010
【図９】
2006141808.tif 000011
【図１０】
2006141808.tif 000012
【図１１】
2006141808.tif 000013
【図１２】
2006141808.tif 000014
【図１３】
2006141808.tif 000015